(57)【特許請求の範囲】
【請求項１】
複数の井桁状のブロックを基礎上に順次傾斜状に組み立てて形成されるモタレ式擁壁であって、前記各ブロックの前壁間に隙間を設けると共に、その隙間の裏側の任意の個所に植栽基盤を設け、該植栽基盤に植物を植えるコンクリート擁壁壁面の緑化方法において、
下位のブロックの前壁の前面上角部が、上位のブロックの前壁の後面下角部よりも上位に位置するように、前記隙間を傾斜状に形成したことを特徴とするコンクリート擁壁壁面の緑化方法。
【請求項２】
複数の井桁状のブロックを基礎上に順次傾斜状に組み立てて形成されるモタレ式擁壁であって、前記各ブロックの前壁間に隙間を設けると共に、その隙間の裏側の任意の個所に植栽基盤を設け、該植栽基盤に植物を植えるコンクリート擁壁壁面の緑化方法において、
前記隙間と植栽基盤との間に、植物を植えるための孔を設けた板状の吸い出し防止材を配したことを特徴とするコンクリート擁壁壁面の緑化方法。
【発明の詳細な説明】
【０００１】
【発明の属する技術分野】
本発明は、モタレ式擁壁の正面部であるコンクリート擁壁壁面の緑化方法に関するものである。
【０００２】
【従来の技術】
従来の擁壁は、図１０に示すように例えば縦横各１５cm位の角柱形状の棒状ブロック１を、連結用鉄筋２を用いて交互に組み立てて井桁状の枠３とし、該枠３内に玉石４とか栗石を詰めて形成していた。
【０００３】
【発明が解決しようとする課題】
しかしながら、上記擁壁においては、各棒状ブロック１間に該ブロック１の厚さ分（１５cm位）の大きな隙間５ができるため、緑化のために枠３内に土を詰めても、土粒子を所定の位置に安定的に確保できない。そのため、植栽基盤を設けることが困難であり、植栽が難しいという問題があった。
【０００４】
また、図１１に示したブロック積み擁壁６は、胴込めコンクリート７を施して一体構造にするため、植栽基盤を設けることは不可能であった。
【０００５】
そこで、従来このようなコンクリート擁壁壁面を緑化するには、コンクリート表面をネットで覆い、ツル性の植物を這わせる等の方法を行っているが、植える植物の種類が限定される、ツルが延びるまで地上の高い所では緑化するまでに時間がかかり、良好な緑化景観が当初から確保できない等の問題があった。
【０００６】
本発明は上記した問題点を解消すべくなされたもので、植栽基盤を任意の位置に安定的に設けることができると共に、多くの種類の植物を植栽することができ、かつ短期間での緑化を可能としたコンクリート擁壁壁面の緑化方法を提供することを目的とする。
【０００７】
【課題を解決するための手段】
上記目的を達成するために、請求項１の発明は、
複数の井桁状のブロックを基礎上に順次傾斜状に組み立てて形成されるモタレ式擁壁であって、前記各ブロックの前壁間に隙間を設けると共に、その隙間の裏側の任意の個所に植栽基盤を設け、該植栽基盤に植物を植えるコンクリート擁壁壁面の緑化方法において、
下位のブロックの前壁の前面上角部が、上位のブロックの前壁の後面下角部よりも上位に位置するように、前記隙間を傾斜状に形成したことを特徴している。
【００１０】
また、請求項２の発明は、
複数の井桁状のブロックを基礎上に順次傾斜状に組み立てて形成されるモタレ式擁壁であって、前記各ブロックの前壁間に隙間を設けると共に、その隙間の裏側の任意の個所に植栽基盤を設け、該植栽基盤に植物を植えるコンクリート擁壁壁面の緑化方法において、
前記隙間と植栽基盤との間に、植物を植えるための孔を設けた板状の吸い出し防止材を配したことを特徴としている。
【００１１】
【実施例】
実施例１
図１〜図６に示した実施例１において、井桁状のブロック１０は、図３に示すように前壁１１と後壁１２とを二本の梁１３で連結して成り、かつ前壁１１の上下方向の幅を後壁１２のそれよりもやや小さく形成してある。
【００１２】
このブロック１０を他のＨ型ブロック１４等と組み合わせて、基礎１５上に順次傾斜状に組み立て、内部に中詰め材として詰石、砕石及び擁壁を施工するために発生した土（以下、現地発生土という）等を投入して、モタレ式擁壁が形成される（図１，図２）。
【００１３】
この組立状態において、各ブロック１０の前壁１１の上下間に隙間１６が形成される。なお、この隙間１６の有無及び上下幅は、ブロック１０の前壁１１の上下幅を変えることによって調整可能であるので、隙間１６は植栽に必要な部分のみに、かつ植物の種類に応じた任意の大きさで設けることができる。
【００１４】
そして、この隙間１６部分の擁壁内の任意の個所に植栽基盤１７を設け、そこにツル性のツタ類やシバザクラ、ムラサキカタバミ等の多種類の草花類を植える。
【００１５】
植栽基盤１７は、中詰め材が現地発生土であり、かつこれが植物の生育に適している場合には、この現地発生土で形成する。
【００１６】
図４は、現地発生土等の中詰め土砂１８が、隙間１６からブロック１０の正面側へ流出しないようにした構造を示したもので、下位のブロック１０の前壁１１の前面上角部１９が、上位のブロック１０の前壁１１の後面下角部２０よりも上位に位置するように設定すれば、重力の法則により中詰め土砂１８の先端２１が前面上角部１９まで到達することはないため、土砂１８の流出は防止される。
【００１７】
また、中詰め土砂１８の流出をより確実に防止するために、図５に示すように隙間１６の裏側に板状の吸い出し防止材２２を配置してもよい。この吸い出し防止材２２には、擁壁の施工中又は施工後にカッター等で孔２３を開け、該孔２３を通して植物を植える。
【００１８】
また、中詰め材として玉石、砕石のみを使用した場合、あるいは現地発生土が植物の生育に不適切と判断されるような場合には、図６に示すように、特別に配合した専用の植栽土２４（約１５〜２０リットル）を袋２５に詰めたものを、隙間１６の裏側に連続的に又は所々の任意の位置に配置して植栽基盤１７とする。この袋２５には、擁壁の施工中又は施工後に開口部２６を設け、そこに植物を植える。
【００１９】
植栽土２４の成分は、バーク堆肥、加工用土、ピートモス、牛糞堆肥、クン炭、化成肥料、乾燥防止剤等が、植栽される植物に合わせ、その都度適宜配合され混合される。ここで、ツル性植物の場合の配合割合の一例を述べると、おおむね次のようになる。バーク堆肥４０％、加工用土３０％、ピートモス１５％、牛糞堆肥１０％、クン炭５％、化成肥料少々、乾燥防止剤少々、となる。
【００２０】
実施例２
図７〜図９に示した実施例２において、井桁状のブロック１０ａは、梁１３ａの上端に台形状の一対の係合凸部２７を設けると共に、下端に台形状の一対の係合凹部２８を設け、また前壁１１ａの上下幅だけでなく、左右幅も、側面下部の突条２９部分を除いて、後壁１２ａよりもやや小さく形成してある。
【００２１】
このブロック１０ａは、図７に示すように梁１３ａの上下端の係合凸部２７と係合凹部２８とを係合させて組み立てる。この組立状態においては、各ブロック１０ａの前壁１１ａの上下間のみならず、左右間の上部にも隙間１６が形成される（図８）。
そして、これらの隙間１６の裏側の任意の個所に植栽基盤１７を設けることは、実施例１と同様である。
【００２２】
以上のようなブロック１０、１０ａを河川の擁壁に使用した場合には、植栽が可能であるばかりでなく、ブロック間の隙間１６を利用して、河川に生息している昆虫類や小魚の住家を提供するという効果も得られる。この効果は、ブロックの上下間だけでなく、左右間の隙間１６も設けることにより一段と促進される。
なお、前記袋詰め植栽土２４は、種子入植栽土としてもよい。
【００２３】
【発明の効果】
本発明によれば、以下の効果を奏することができる。
(１)請求項１の発明によれば、下位のブロックの前壁の前面上角部が、上位のブロックの前壁の後面下角部よりも上位に位置するように、前記隙間を傾斜状に形成することにより、中詰め土砂の正面側への流出を防止することができる。
(２)請求項２の発明によれば、隙間と植栽基盤との問に、植物を植えるための孔を設けた板状の吸い出し防止材を配することにより、中詰め土砂の流出をより確実に防止することができる。
(３)また、本発明によれば、擁壁正面部の任意の位置に、任意の大きさの植栽用隙間及び植栽基盤を安定的に設けることが可能となる。従って、植物の種類が限定されることなく、多種類の植物を植栽することができ、より自然に近い状態の緑化を短期間で達成することができる。
(４)さらに、本発明を河川の擁壁に適用した場合には、河川に生息している昆虫類や小魚の格好な住家を提供することができる。
【図面の簡単な説明】
【図１】本発明の実施例１に係る擁壁の側面図である。
【図２】同擁壁の正面図である。
【図３】同擁壁を構成するブロックの傾斜図である。
【図４】同擁壁の土砂流出防止構造を示す要部拡大断面図である。
【図５】同擁壁の土砂流出防止構造を示す要部拡大断面図である。
【図６】植栽基盤を袋詰め植栽土とした例を示す要部拡大断面図である。
【図７】本発明の実施例２に係る擁壁の側面図である。
【図８】同擁壁の正面図である。
【図９】同擁壁を構成するブロックの斜視図である。
【図１０】従来技術を示す斜視図である。
【図１１】他の従来技術を示す、（ａ）は正面図、（ｂ）は側面図である。
【符号の説明】
１０、１０ａ  ブロック
１１、１１ａ  前壁
１２、１２ａ  後壁
１３、１３ａ  梁
１５  基礎
１６  隙間
１７  植栽基盤
１８  中詰め土砂
１９  前面上角部
２０  後面下角部
２２  吸い出し防止材
２３  孔
２４  植栽土
２５  袋
２６  開口部
２７  係合凸部
２８  係合凹部
２９  突条
【図１】
0003785490.tif 000002
【図２】
0003785490.tif 000003
【図３】
0003785490.tif 000004
【図４】
0003785490.tif 000005
【図５】
0003785490.tif 000006
【図６】
0003785490.tif 000007
【図７】
0003785490.tif 000008
【図８】
0003785490.tif 000009
【図９】
0003785490.tif 000010
【図１０】
0003785490.tif 000011
【図１１】
0003785490.tif 000012